(57)【特許請求の範囲】
【請求項１】
本体と、
前記本体の底面の一部を構成し、ドレン排水穴が形成された底板と、
前記本体内に設けられる室外熱交換器と、
前記底板上に設置され、前記底板の上面と前記室外熱交換器の底部との間に間隔を空けるように前記室外熱交換器を保持する保持部品と、
を有し、
前記保持部品は、
水平方向における前記室外熱交換器の端部側の下端部である角部に接しないように、前記底板に設けられ、
前記底板上に立設される第１保持部品支柱と、
当該第１保持部品支柱と略平行に前記底板上に立設される第２保持部品支柱と、
前記第１保持部品支柱及び前記第２保持部品支柱を接続し、前記室外熱交換器の底部を保持する接続部とを有し、
前記第１保持部品支柱と前記第２保持部品支柱との間隔が、
前記室外熱交換器の厚みよりも大きく、
前記接続部には、
前記室外熱交換器の厚みよりも幅が大きい開口が形成されている
ことを特徴とする空気調和装置の室外機。
【請求項２】
本体と、
前記本体の底面の一部を構成し、ドレン排水穴が形成された底板と、
前記本体内に設けられる室外熱交換器と、
前記底板上に設置され、前記底板の上面と前記室外熱交換器の底部との間に間隔を空けるように前記室外熱交換器を保持する保持部品と、
を有し、
前記保持部品は、
水平方向における前記室外熱交換器の端部側の下端部である角部に接しないように、前記底板に設けられ、
前記底板上に立設される第１保持部品支柱と、
当該第１保持部品支柱と略平行に前記底板上に立設される第２保持部品支柱と、
前記第１保持部品支柱及び前記第２保持部品支柱を接続し、前記室外熱交換器の底部を保持する接続部とを有し、
前記第１保持部品支柱と前記第２保持部品支柱との間隔が、
前記室外熱交換器の厚みよりも大きく、
前記接続部には、
前記室外熱交換器の厚みよりも幅が大きい切欠が形成され、
前記切欠は、
前記室外熱交換器の端部側に位置するように前記底板に設けられている
ことを特徴とする空気調和装置の室外機。
【請求項３】
請求項１又は２に記載の前記空気調和装置の室外機と、室内機とを備えた
ことを特徴とする空気調和装置。
【発明の詳細な説明】
【技術分野】
【０００１】
本発明は、空気調和装置の室外機及びそれを備えた空気調和装置に関し、特に、室外機に設けられるドレンパンに関するものである。
【背景技術】
【０００２】
空気調和機は、暖房運転の際、室外機の内部に配置される室外熱熱交換器が蒸発器として機能する。室外熱交換器が、蒸発器として機能していると、室外熱交換器に供給される空気中の水分が凝縮し、室外熱交換器表面に霜として付着することがある。このような場合には、たとえば暖房運転とは逆サイクルの除霜運転を行うことにより、室外熱交換器は凝縮器として機能させ、付着した霜を融解させることができる。
なお、融解した水（以下ドレン水とする）は、室外熱交換器表面から流れ落ち、室外機の下部に配置される底板に設けられている排水口にドレン水が集められ、同排水口から底板外部に排出されるようになっている。
【０００３】
たとえば外気温が氷点下を下回るような寒冷地域では、この除霜運転で融解し底板に滴下したドレン水が、「熱交換器と底板でブリッジ滞留」を起こしたり、「表面張力によって液体のまま底板に張り付いて滞留」したりするなどして、ドレン排水口から排出される前に冷却され底板上で凍結することがある。
このように底板上で凍結すると、時間の経過と共に氷が成長し、熱交換器や室外機プロペラファンに達してしまい、熱交換器を通る配管やプロペラファン等の破損を引き起こす可能性がある。また、熱交換器下部にドレンが氷結することにより熱交換器の熱交換率の低下による暖房能力の低下を引き起こす可能性がある。
【０００４】
そこで、室外熱交換器の設置部分と底板とを離した状態で、室外機熱交換器を底板に設置するために、室外熱交換器を保持するスペーサを設けた空気調和装置の室外機が提案されている（たとえば、特許文献１参照）。
特許文献１に記載の技術は、室外熱交換器に設けられる冷媒管のうち、室外熱交換器の端部側から露出している半円型管（以下ヘアピンとする）の部分を、スペーサで保持させるものである。
【先行技術文献】
【特許文献】
【０００５】
【特許文献１】実開昭６０−１４４２６号公報（たとえば、図１参照）
【発明の概要】
【発明が解決しようとする課題】
【０００６】
特許文献１に記載の技術は、冷媒管のヘアピンがスペーサに保持されるため、ヘアピンとスペーサとが接触することとなる。これにより、室外熱交換器の端面やヘアピンなどで発生したドレン水が接触部分で滞留し、この滞留したドレン水が凍結してヘアピンの変形が起こる可能性があった。特許文献１に記載の技術は、冷媒管のヘアピンがスペーサに保持されるため、室外熱交換器自身の荷重でヘアピンの変形を招く可能性があった。
【０００７】
冷媒管のうちヘアピンの部分は、冷媒管のうち直管部とは異なり所定の曲率で曲げられて設けられており、冷媒の流入時の圧力損失が大きくなる部分である。すなわち、特許文献１に記載の技術は、ヘアピンの変形により、室外熱交換器における圧力損失が増大し、冷暖房能力の低下を招いてしまう可能性があるという課題があった。
【０００８】
本発明は、以上のような課題を解決するためになされたもので、室外機本体内でドレン水が凍結してしまうことを抑制する空気調和装置の室外機及びそれを備えた空気調和装置を提供することを目的としている。
【課題を解決するための手段】
【０００９】
本発明に係る空気調和装置の室外機は、本体と、本体の底面の一部を構成し、ドレン排水穴が形成された底板と、本体内に設けられる室外熱交換器と、底板上に設置され、底板の上面と室外熱交換器の底部との間に間隔を空けるように室外熱交換器を保持する保持部品と、を有し、保持部品は、水平方向における室外熱交換器の端部側の下端部である角部に接しないように、底板に設けられ、底板上に立設される第１保持部品支柱と、第１保持部品支柱と略平行に底板上に立設される第２保持部品支柱と、第１保持部品支柱及び第２保持部品支柱を接続し、室外熱交換器の底部を保持する接続部とを有し、第１保持部品支柱と第２保持部品支柱との間隔が、室外熱交換器の厚みよりも大きく、接続部には、室外熱交換器の厚みよりも幅が大きい開口が形成されているものである。
【発明の効果】
【００１０】
本発明に係る空気調和装置の室外機によれば、保持部品は、水平方向における室外熱交換器の端部側の下端部である角部に接しないように、ベースに設けられているので、ドレン水が角部に滞留することを防止することができ、室外機本体内でドレン水が凍結してしまうことを抑制することができる。
【図面の簡単な説明】
【００１１】
【図１】本発明の実施の形態１に係る空気調和装置の概要構成例図である。
【図２】本発明の実施の形態１に係る室外機の斜視図である。
【図３】図２に示す室外機の分解図である。
【図４】本発明の実施の形態１に係る底板、室外熱交換器及び保持部品の説明図である。
【図５】空気調和装置の冷媒回路の構成例図である。
【図６】従来の室外機でドレン水が滞留することの説明図である。
【図７】本発明の実施の形態１に係る底板、室外熱交換器及び保持部品の要部拡大図である。
【図８】本発明の実施の形態１に係る保持部品の詳細説明図である。
【図９】本発明の実施の形態２に係る保持部品の説明図である。
【発明を実施するための形態】
【００１２】
以下、本発明の実施の形態を図面に基づいて説明する。
実施の形態１．
図１は、実施の形態１に係る空気調和装置２００の概要構成例図である。図２は、実施の形態１に係る室外機１の斜視図である。図３は、図２に示す室外機１の分解図である。図４は、実施の形態１に係る底板６、室外熱交換器１２及び保持部品２０の説明図である。
空気調和装置２００は、室外機１の本体内でのドレン水の凍結を抑制するように室外機１に搭載される室外熱交換器１２の設置方法に改良が加えられたものである。
【００１３】
（構成説明）
空気調和装置２００は、室内機６１と室外機１とを有し、これらが冷媒配管６３で接続されて構成されている。室内機６１は、冷房運転時に蒸発器として機能し、暖房運転時に凝縮器として機能する室内熱交換器１７（図５参照）などを有している。そして、室外機１で生成された冷熱あるいは温熱は、冷媒配管６３を介して室内機６１に配送されるようになっている。
室外機１は、たとえばビルや家屋等の外に配置され、冷媒配管６３を介して室内機６１に冷熱又は温熱を供給するものである。
室内機６１は、たとえば室内などのように空調対象空間に冷房用空気、或いは暖房用空気を供給できる位置に配置され、空調対象空間に冷房用空気あるいは暖房用空気を供給するものである。
【００１４】
（室外機１）
室外機１は、冷房運転時に凝縮器として機能し、暖房運転時に蒸発器として機能する室外熱交換器１２などを有しているものである。
室外機１の外郭は、室外機１の上面を構成する天板３と、室外機１の前面の一部、左側面を構成する前面パネル２と、室外機１の右側面及び後面の一部を構成する右側面パネル５と、前面パネル２に設けられ、室外機１の前面の一部を構成するファングリル７と、室外機１の底面を構成する底板６と、室外機１の後面の一部を構成する後面パネル４とによって構成されている。
また、室外機１は、室外機１内の空間を左側と右側に区画する仕切板５０と、冷媒を圧縮して吐出する圧縮機９と、水平断面形状が略Ｌ字形状の室外熱交換器１２と、室外熱交換器１２を保持する保持部品２０と、室外熱交換器１２に外気を供給するプロペラファン１３と、プロペラファン１３を回転させる電動機１３Ｂと、電動機１３Ｂを保持するモーターサポート１３Ｃとを有している。
【００１５】
（天板３）
天板３は、室外機１の上面を構成するものである。天板３は、前側端部及び左側端部が前面パネル２と接触して設けられ、右側端部及び右後側端部が右側面パネル５と接触して設けられている。天板３は、たとえば金属板などを所定の形状に形成して構成される。
【００１６】
（前面パネル２）
前面パネル２は、室外機１の前面の一部及び左側面を構成するものである。前面パネル２は、下端部が底板６と接触して設けられ、上端部が天板３と接触して設けられている。また、前面パネル２のうち前面構成部分の右側端部は、右側面パネル５と接触して設けられている。さらに、前面パネル２のうち前面構成部分には、たとえば略円形の外気吸込口が形成され、当該外気吸込口の形成位置に対向するようにファングリル７が設けられる。前面パネル２は、たとえばＡＢＳ樹脂などで構成される。
【００１７】
（右側面パネル５）
右側面パネル５は、室外機１の右側面及び後面の一部を構成するものである。この右側面パネル５は、水平断面形状が略Ｌ字であって底板６に鉛直に立設され、圧縮機９の側方及び後側を覆うように設けられるものである。また、右側面パネル５には、図示省略のバルブベットなどを保護するための右側面カバー８が取り付けられている。右側面パネル５は、前側端部が前面パネル２と接触して設けられ、上端部が天板３と接触して設けられ、下端部が底板６と接触して設けられている。右側面パネル５は、たとえばＡＢＳ樹脂などで構成される。
【００１８】
（ファングリル７）
ファングリル７は、室外機１の前面の一部を構成し、たとえばユーザーなどがプロペラファン１３でケガをすることを防止するものである。このファングリル７は、たとえば縦桟と横桟からなる格子状部材である。ファングリル７は、前面パネル２のうち前面構成部分に設けられた外気吸込口の形成位置に対向するように設けられている。
【００１９】
（底板６）
底板６は、室外機１の底面の一部を構成するものである。底板６の周縁には、鉛直に立設するフランジ５Ａが形成されている。底板６上には、室外熱交換器１２、圧縮機９、仕切板５０及び保持部品２０などが設けられている。底板６は、たとえば金属板などを所定の形状に形成して構成される。底板６には、室外熱交換器１２より発生したドレン水を排出するため、ドレン排水穴１８が形成されている。底板６は、ドレン排水穴１８の形成位置が下側に突出するように形成されている。すなわち、底板６は、底板６のうちドレン排水穴１８が形成されている部分が、保持部品２０が設けられている部分よりも低くなるように、凹状に形成されている。なお、図４では、ドレン排水穴１８が底板６に１つ形成されている場合を例に説明しているが、それに限定されるものではなく、複数設けてもよい。
【００２０】
（仕切板５０）
仕切板５０は、圧縮機９などが設けられる側である機械室１１と、室外熱交換器１２、プロペラファン１３、電動機１３Ｂ、及びモーターサポート１３Ｃなどが設けられる側である送風機室１４とを区画するものである。仕切板５０は、その下端部が底板６に接触して設けられている。また、仕切板５０の後側端部は、たとえば室外熱交換器１２の端部側に固定される。
【００２１】
（圧縮機９）
圧縮機９は、冷媒を吸入し、その冷媒を圧縮して高温・高圧の状態にして吐出するものである。圧縮機９は、冷媒の流れを切り替えて冷房運転及び暖房運転を切り替える四方弁１５（図５参照）に接続されている。なお、圧縮機９の上部には、各種制御などに利用される電気品箱１０が設けられている。
【００２２】
（室外熱交換器１２）
室外熱交換器１２は、プロペラファン１３によって室外機１に取り込まれる空気と冷媒との間で熱交換を行わせ、冷房運転時に冷媒を凝縮液化させ、暖房運転時に冷媒を蒸発ガス化させるものである。室外熱交換器１２は、底板６上に設けられる保持部品２０に支持されて設けられている。室外熱交換器１２の上部には、モーターサポート１３Ｃが掛けられるようにして設けられている。
室外熱交換器１２は、たとえば冷媒配管を流れる冷媒とフィンを通過する空気との間で熱交換ができるようなフィンアンドチューブ熱交換器で構成するとよい。室外熱交換器１２は、冷媒配管のうち室外熱交換器１２の端部側の冷媒配管が半円状に曲げられたヘアピン１２ｆを有している（図７参照）。
【００２３】
（保持部品２０）
保持部品２０は、室外熱交換器１２を保持するものである。保持部品２０は、その下端部が底板６に固定されて設けられている。保持部品２０を構成する素材は特に限定されるものではないが、たとえば、疎水性を有するものなどで構成するとよい。保持部品２０は、底板６にネジなどで構成される。
図４では、保持部品２０が、室外熱交換器１２の一方の端部側の底部と、他方の端部側の底部とに、１つずつ設けられた場合を例に説明しているが、それに限定されるものではない。すなわち、保持部品２０は、室外熱交換器１２の角部１２ｃ及び角部１２ｄと接しないように設置するのであれば、設置位置及び設置個数は限定されるものではない。なお、角部１２ｃ、１２ｄとは、室外熱交換器１２の「最端部のフィンの下端側」に対応する部分を指す。保持部品２０の詳細な構成については、図７及び図８で詳しく説明する。
【００２４】
（プロペラファン１３、電動機１３Ｂ及びモーターサポート１３Ｃ）
プロペラファン１３は、室外熱交換器１２に外気を供給するためのものである。プロペラファン１３は、自身を回転させるための電動機１３Ｂに接続されて設けられている。
電動機１３Ｂは、プロペラファン１３を回転させるものである。電動機１３Ｂは、モーターサポート１３Ｃによって支持されて、室外熱交換器１２の前面側に設けられている。この電動機１３Ｂは、たとえば、永久磁石などを有するローター、巻線などを有するステーター及びプロペラファン１３に接続されるシャフトなどによって構成される。
モーターサポート１３Ｃは、電動機１３Ｂを保持するものである。モーターサポート１３Ｃは、その上部が室外熱交換器１２の上部に掛けられるようにして固定され、その下部が底板６上に固定されて設けられている。
【００２５】
（空気調和装置２００の冷凍サイクルの動作）
図５は、空気調和装置２００の冷媒回路の構成例図である。図５を参照しながら、同図で示される冷媒回路の冷凍サイクル動作について説明する。なお、室内機６１内には室内熱交換器１７が搭載されており、室外機１には流路を切り替える四方弁１５及び冷媒を膨張させる膨張弁１６が搭載されている場合を例に説明する。
【００２６】
室内熱交換器１７は、ファン（図示省略）によって室内機６１に取り込まれる室内空気と冷媒との間で熱交換を行わせ、暖房運転時に冷媒を凝縮液化させ、冷房運転時に冷媒を蒸発ガス化させるものである。
四方弁１５は、暖房運転時における冷媒の流れと、冷房運転及び除霜運転時における冷媒の流れを切り替えるものである。この四方弁１５は、暖房運転時において、圧縮機９の吐出側と室内熱交換器１７を接続するとともに、圧縮機９の吸引側と室外熱交換器１２を接続する。また、冷房運転及び除霜運転時において、圧縮機９の吐出側と室外熱交換器１２を接続するとともに、圧縮機９の吸引側と室内熱交換器１７を接続する。
膨張弁１６は、冷媒回路を流通する冷媒を減圧して膨張させるものである。膨張弁１６は、一方が室外熱交換器１２に接続され、他方が室内熱交換器１７に接続されている。この膨張弁１６は、開度が可変に制御可能なもの、たとえば電子式膨張弁などで構成するとよい。
【００２７】
まず、暖房運転についての冷媒の流れについて説明する。暖房運転開始時には、四方弁１５は、図５の四方弁１５の点線で示されるように流路が切り替えられる。圧縮機９によって圧縮され吐出された気体冷媒は、四方弁１５を経由して、室内熱交換器１７に流入する。この室内熱交換器１７に流入した気体冷媒は、ファンから供給される室内空気と熱交換を実施して凝縮し、室内熱交換器１７から流出する。この室内熱交換器１７から流出した冷媒は、膨張弁１６に流入し、この膨張弁１６によって膨張され減圧される。減圧された冷媒は、室外熱交換器１２に流入し、ファンから供給される室外空気と熱交換が実施されて気化し、室外熱交換器１２から流出する。この室外熱交換器１２から流出した気体冷媒は、四方弁１５を介して圧縮機９に吸引される。
【００２８】
ここで、外気温が低く、外気の湿度が高い場合において暖房運転を実施すると、室外熱交換器１２に接触する空気中の水分が露点に達し凝縮し、霜となり熱交換器表面に付着しやすくなる。この霜が熱交換器表面に堆積すると、室外熱交換器１２における熱交換の効率が低下し、暖房能力の低下を招く。そこで、空気調和装置２００を連続して暖房運転する場合などにおいては特に、定期的に霜を取り除くため、暖房運転とは逆サイクルの除霜運転を実施する必要がある。
【００２９】
除霜運転時には、四方弁１５は、図５の四方弁１５の実線で示されるように流路が切り替えられる。圧縮機９によって圧縮され吐出された気体冷媒は、四方弁１５を経由して、室外熱交換器１２へ流入する。この際、室外熱交換器１２は凝縮器として機能し、冷媒は周囲に放熱し液化する。この熱によって暖房運転時に付着した霜を融解させる。この室外熱交換器１２に流入した気体冷媒は、ファンから供給される外気と熱交換を実施して凝縮し、室外熱交換器１２から流出する。この室外熱交換器１２から流出した冷媒は、膨張弁１６に流入し、この膨張弁１６によって膨張され減圧される。減圧された冷媒は、室内熱交換器１７に流入し、ファンから供給される室内空気と熱交換が実施されて気化し、室内熱交換器１７から流出する。この室内熱交換器１７から流出した気体冷媒は、四方弁１５を介して圧縮機９に吸引される。
【００３０】
（保持部品２０の詳細説明）
図６は、従来の室外機でドレン水が滞留することの説明図である。図７は、実施の形態１に係る底板６、室外熱交換器１２及び保持部品２０の要部拡大図である。図８は、実施の形態１に係る保持部品２０の詳細説明図である。なお、図８（ａ）は保持部品２０の上面視図である。また、図８（ｂ）が保持部品２０の正面図である。
従来の室外機では、底板６’から確実にドレン水を排水するために、底板６’がドレン排水口側が下側に突出する凹形状となっている場合が多い。このような場合には、図６に示すように、室外熱交換器１２’の「角部」において、室外熱交換器１２’が底板６’に接地する。
このため、除霜運転で室外熱交換器１２’から滴下したドレン水は、室外熱交換器１２’の角部における室外熱交換器１２’と底板６’との接触部分となる接地面１２ｅで、表面張力によりブリッジ滞留１９’を形成してしまう。
ひとたび滞留が起きると、寒冷地では排出前にドレン水が凍結し成長し、氷がヘアピン１２ｆ’から、プロペラファンに達してしまうこともある。このようにドレン水の凍結が成長すると、室外熱交換器１２’を通る配管やプロペラファン等の破損や、室外熱交換器１２’の熱交換率の低下による暖房能力の低下を引き起こす。
【００３１】
そこで、図７及び図８に示すように、室外機１は保持部品２０を設けることで、室外熱交換器１２と底板６との接触部分とにおいて発生するブリッジ滞留の発生を抑制することを可能としている。以下に、図７及び図８を参照して保持部品２０の詳細な構成について説明する。
保持部品２０は、底板６に対して略鉛直に立設する保持部品支柱２０Ａ及び保持部品支柱２０Ｂと、室外熱交換器１２の底部が設置される接続部２０Ｃとを有している。
なお、保持部品２０は、保持部品支柱２０Ａと保持部品支柱２０Ｂとの間隔２０ａを、室外熱交換器１２の厚み１２ｂよりも大きくなるように構成するとよい。また、保持部品支柱２０Ａ及び保持部品支柱２０Ｂの高さ２０ｂは、たとえば、１０ｍｍ程度とするとよい。なお、厚み１２ｂとは、室外熱交換器１２の前面側と後面側との対向間隔を指す（図４参照）。
この間隔２０ａが狭い場合や高さ２０ｂが小さい場合には、底板６上のドレン水が保持部品支柱２０Ａと保持部品支柱２０Ｂとの間を通りにくくなり、ドレン水が底板６上に滞留しやすくなってしまう。しかし、間隔２０ａを室外熱交換器１２の厚み１２ｂよりも大きくし、保持部品支柱２０Ａ及び保持部品支柱２０Ｂの高さ２０ｂを１０ｍｍ程度とすることで、ドレン水の滞留を抑制し、確実にドレン排水穴１８からドレン水を排出することができる。
【００３２】
なお、保持部品２０は、室外熱交換器１２の角部１２ｃ及び角部１２ｄと接しないように設置することが好ましい。仮に、保持部品２０が接してしまっていると、ドレン水は、室外熱交換器１２の「最端部のフィンの下端側」と、保持部品支柱２０Ａ及び保持部品支柱２０Ｂとによってブリッジ滞留を形成してしまう可能性があるからである。
【００３３】
（実施の形態に係る空気調和装置の室外機１の有する効果）
本実施の形態に係る空気調和装置の室外機１は、保持部品２０を有しているので、室外熱交換器１２の角部１２ｃ、１２ｄでブリッジ滞留が形成されることが抑制され、ドレン水を底板６から確実に排出させることができる。これにより、室外機１内でドレン水が凍結してしまうことを抑制することができる。
【００３４】
実施の形態２．
図９は、実施の形態２に係る保持部品２１、２２の説明図である。なお、図９（ａ）は保持部品２１の上面視図である。また、図９（ｂ）が保持部品２１とは異なる保持部品２０２の上面視図である。さらに、図９（ｃ）が保持部品２１及び２２の正面図である。なお、この実施の形態２では上述した実施の形態１との相違点を中心に説明するものとし、実施の形態１と同一部分には、同一符号を付している。
【００３５】
本実施の形態２では、実施の形態１の保持部品２０の接続部２０Ｃの形状を変更している。
図９（ａ）に示すように、保持部品２１の接続部２１Ｃは、室外熱交換器１２が設置される側である上側と、底板６が設けられる側である下側とを連通する開口部２１Ｄが形成されているものである。これにより、室外熱交換器１２側から接続部２１Ｃ側に滴下するドレン水が、開口部２１Ｄから底板６に滴下することとなり、円滑にドレン水を底板６に導くことが可能となる。
なお、開口部２１Ｄの形状は、図９（ａ）に示すように、たとえば楕円形形状などとするとよい。なお、開口部２１Ｄの幅については、室外熱交換器１２の厚み１２ｂよりも大きくするとよい。これにより、室外熱交換器１２側から接続部２１Ｃ側に滴下してきたドレン水が、開口部２１Ｄから底板６に直接滴下することとなり、円滑にドレン水を底板６に導くことが可能となる。なお、開口部２１Ｄの形状は、楕円形に限定されるものではなく、たとえば円形でもよいし、長方形でもよい。なお、長方形とする場合においては、角の部分については曲線的に形成することで、開口部２１Ｄに表面張力でドレン水が付着してしまうことを抑制することができる。
【００３６】
図９（ｂ）に示すように、保持部品２２の接続部２２Ｃは、室外熱交換器１２が設置される側である上側から、底板６が設けられる側である下側に、ドレン水が流れ落ちるように切欠２２Ｄが形成されている。そして、保持部品２２を底板６に取り付ける際には、切欠２２Ｄ側が室外熱交換器１２の端部側となるように設置し、接続部２２Ｃで室外熱交換器１２の底部を支持させるようにする。
なお、切欠２２Ｄの幅については、室外熱交換器１２の厚み１２ｂよりも大きくするとよい。これにより、室外熱交換器１２側から接続部２２Ｃ側に滴下してきたドレン水が、切欠２２Ｄから底板６に直接滴下することとなり、円滑にドレン水を底板６に導くことが可能となる。
【符号の説明】
【００３７】
１  室外機、２  前面パネル、３  天板、４  後面パネル、５  右側面パネル、５Ａ  フランジ、６  底板、７  ファングリル、８  右側面カバー、９  圧縮機、１０  電気品箱、１１  機械室、１２  室外熱交換器、１２ｂ  厚み、１２ｃ、１２ｄ  角部、１２ｅ  接地面、１２ｆ  ヘアピン、１３  プロペラファン、１３Ｂ  電動機、１３Ｃ  モーターサポート、１４  送風機室、１５  四方弁、１６  膨張弁、１７  室内熱交換器、１８  ドレン排水穴、１９  ブリッジ滞留（ドレン水）、２０  保持部品、２０Ａ、２０Ｂ  保持部品支柱、２０Ｃ  接続部、２１  保持部品、２１Ｃ  接続部、２１Ｄ  開口部、２２  保持部品、２２Ｃ  接続部、２２Ｄ  切欠、５０  仕切板、６１  室内機、６３  冷媒配管、１００  室外機、２００  空気調和装置。
【図１】
0005797149.tif 000002
【図２】
0005797149.tif 000003
【図３】
0005797149.tif 000004
【図４】
0005797149.tif 000005
【図５】
0005797149.tif 000006
【図６】
0005797149.tif 000007
【図７】
0005797149.tif 000008
【図８】
0005797149.tif 000009
【図９】
0005797149.tif 000010